(57)【要約】  【課題】  歩留まりの低下の防止および駆動ドライバＩＣの接続信頼性の向上を図るとともに、コストの削減を図る。  【解決手段】  パネル状光源２０が、ストライプ状に配列された複数の線状電極２４ａ〜２４ｄと、複数の線状電極２４ａ〜２４ｄにエレクトロルミネセンス層２２を介して対向するように設けられた平板電極２２とを備えたＥＬブロック２５ａ〜２５ｇが複数並べられたものであり、異なるＥＬブロック２５ａ〜２５ｇの各線状電極２４ａ〜２４ｄ同士が配線２８により電気的に接続されており、駆動ドライバＩＣ３１、３２が、パネル状光源２０から読取光Ｌを射出させるときに、配線２８により接続された複数のＥＬブロック２５ａ〜２５ｇの線状電極２４ａ〜２４ｄと、発光させるＥＬブロック２５ａ〜２５ｇの平板電極２２とに駆動電流を印加する。【選択図】          図３
2007012853.tif 000002
【特許請求の範囲】
【請求項１】
画像情報が記録された画像記録媒体と、該画像記録媒体にライン状の読取光を射出する、エレクトロルミネセンス素子からなるパネル状光源と、該パネル状光源が前記読取光を走査しながら前記画像記録媒体に照射するように、前記パネル状光源に対する駆動電流の印加を制御する駆動ドライバＩＣとを備えた画像読取装置において、
前記パネル状光源が、ストライプ状に配列された複数の線状電極と、該複数の線状電極にエレクトロルミネセンス層を介して対向するように設けられた平板電極とを備えたＥＬブロックが複数並べられたものであり、
異なる前記ＥＬブロックの各線状電極同士が電気的に接続されており、
前記駆動ドライバＩＣが、前記パネル状光源から前記読取光を射出させるときに、前記配線により接続された複数の前記ＥＬブロックの線状電極と、発光させる前記ＥＬブロックの平板電極とに前記駆動電流を印加するものであることを特徴とする画像読取装置。
【請求項２】
前記異なるＥＬブロックの各線状電極同士が並列接続されていることを特徴とする請求項１に記載の画像読取装置。
【請求項３】
前記各線状電極と前記駆動ドライバＩＣとがフレキシブルプリント配線板を用いて電気的に接続されていることを特徴とする請求項１または２に記載の画像読取装置。
【請求項４】
前記各線状電極と前記駆動ドライバＩＣとが異方性導電ゴムシートを用いて電気的に接続されていることを特徴とする請求項１から３のいずれか１項に記載の画像読取装置。
【請求項５】
前記駆動ドライバＩＣが前記パネル状光源における読取光射出面の裏面側に実装されていることを特徴とする請求項１から４のいずれか１項に記載の画像読取装置。
【請求項６】
前記駆動ドライバＩＣが、前記パネル状光源が前記画像記録媒体から前記画像情報を読み取るために前記読取光を射出した後、前記画像記録媒体に残存する前記画像情報を消去するために前記読取光をさらに射出するように前記パネル状光源を制御するものであることを特徴とする請求項１から４のいずれか１項に記載の画像読取装置。
【請求項７】
前記駆動ドライバＩＣが、前記画像記録媒体に残存する前記画像情報を消去するために前記読取光をさらに射出するときに、前記複数のＥＬブロックの前記各線状電極および前記各平板電極に前記駆動電流の逆バイアス電圧を印加する機能を有するものであることを特徴とする請求項５に記載の画像読取装置。
【発明の詳細な説明】
【技術分野】
【０００１】
本発明は、エレクトロルミネセンス素子を用いてライン光を画像記録媒体に照射することにより、画像記録媒体に記録された画像情報を読み取る画像読取装置に関するものである。
【背景技術】
【０００２】
従来より、医療用Ｘ線撮影において、被験者が受ける被爆線量の減少、診断性能の向上等のために、Ｘ線に感応する例えばａ−Ｓｅから成るセレン板等の光導電体を静電記録体として用い、静電記録体に放射線画像情報を担持するＸ線等の放射線を照射して、放射線画像情報を記録する固体検出器が提案されている。この固体検出器に記録された画像情報を読み取るとき、ライン光からなる読取光を固体検出器に走査しながら照射することにより、固体検出器に記録された画像情報を取得する方法がある（たとえば特許文献１参照。）。
【０００３】
特許文献１において読取光を射出する読取光源として、たとえばエレクトロルミネンス素子からなるパネル状光源が用いられている。このパネル状光源は、複数の線状電極と、この線状電極にＥＬ層を介して対向する平板電極とを有し、線状電極および平板電極に駆動電流を印加することにより、それに挟まれたＥＬ層が発光するようになっている。
【０００４】
ところで、エレクトロルミネセンス素子を用いたパネル状光源として複数のブロックに分割し、各ブロック毎に制御を行うものが知られている（たとえば特許文献２参照。）。特許文献２のＥＬユニットは、ブロック電極（平板電極）と、このブロック電極に対向するライン状の複数のコモン電極（線状電極）と、ブロック電極と複数のコモン電極とに挟まれたＥＬ層とを有している。そして、各ブロックのブロック電極およびコモン電極はそれぞれ駆動ドライバＩＣに電気的に接続されており、各駆動ドライバＩＣによって各ブロックの駆動電流の印加が制御されている。
【特許文献２】特開２００４−６５８３号公報
【特許文献２】特開平７−１１４９８６号公報
【発明の開示】
【発明が解決しようとする課題】
【０００５】
しかし、特許文献２のＥＬユニットを画像記録媒体の読取光源として用いた場合、ブロックの数だけの駆動ドライバＩＣを狭ピッチで実装する必要があるため、チップ実装における歩留まりが低下してしまうという問題がある。具体的には、マンモグラフィに対応した固体検出器のパネル状光源として用いる場合、線状電極の間隔は５０μｍ以下であることが求められる。すると、各駆動ドライバＩＣは５０μｍ間隔よりもさらに微細な間隔で実装する必要があり、たとえば異方導電性接着剤（以下「ＡＣＦ」という）を用いて駆動ドライバＩＣを４０μｍ間隔で熱圧着することが求められる。このような微細な熱圧着を行う場合、シュリンク率、熱圧着温度、環境温湿度を正確に管理しなければ歩留まりが低下してしまう問題がある。さらに、各ＥＬブロック毎に制御ドライバＩＣが必要となるため、コストが高くなってしまうという問題がある。
【０００６】
そこで、本発明は、歩留まりの低下の防止および駆動ドライバＩＣの接続信頼性の向上を図るとともに、コストの削減を図ることができる画像読取装置を提供することを目的とする。
【課題を解決するための手段】
【０００７】
本発明の画像読取装置は、画像情報が記録された画像記録媒体と、画像記録媒体にライン状の読取光を射出する、エレクトロルミネセンス素子からなるパネル状光源と、パネル状光源が読取光を走査しながら画像記録媒体に照射するように、パネル状光源に対する駆動電流の印加を制御する駆動ドライバＩＣとを備えた画像読取装置において、パネル状光源が、ストライプ状に配列された複数の線状電極と、複数の線状電極にエレクトロルミネセンス層を介して対向するように設けられた平板電極とを備えたＥＬブロックが複数並べられたものであり、異なるＥＬブロックの各線状電極同士が配線により電気的に接続されており、駆動ドライバＩＣが、パネル状光源から読取光を射出させるときに、配線により接続された複数のＥＬブロックの線状電極と、発光させるＥＬブロックの平板電極とに駆動電流を印加するものであることを特徴とするものである。
【０００８】
ここで、パネル状光源は、無機ＥＬを用いた無機ＥＬパネルであってもよいし有機ＥＬを用いたＥＬパネルであってもよい。
【０００９】
また、駆動ドライバＩＣは、複数のＥＬブロックの駆動電流の印加を制御するものであれば駆動ドライバＩＣの数は限定されず、すべてのＥＬブロックへの駆動電流の印加を制御する１つの駆動ドライバＩＣを設けてもよいし、２以上のＥＬブロックへの駆動電流の印加を制御する駆動ドライバＩＣを複数設けるようにしてもよい。もしくは、すべてのＥＬブロックの各線状電極に電気的に接続された駆動ドライバＩＣと、すべてのＥＬブロックの各平板電極に電気的に接続された駆動ドライバＩＣとを設けるようにしてもよい。
【００１０】
さらに、配線は、異なるＥＬブロックの各線状電極同士を電気的に接続し、かつ複数のＥＬブロックの各線状電極と駆動ドライバＩＣとを電気的に接続させるものであれば、どのようなパターンであるかを問わず、たとえばすべてのＥＬブロックの各線状電極同士を並列接続するパターンを有し、配線と駆動ドライバＩＣとが電気的に接続されていてもよい。
【００１１】
また、各線状電極と前記駆動ドライバＩＣとは電気的に接続されていればよく、たとえばフレキシブルプリント配線板や異方性導電ゴムシート等を用いて電気的に接続されていてもよい。
【００１２】
さらに、駆動ドライバＩＣは各線状電極と電気的に接続されているものであれば実装方法は問わないが、パネル状光源における読取光射出面の裏面側に実装されていることが好ましい。
【００１３】
また、駆動ドライバＩＣが、パネル状光源が画像記録媒体から画像情報を読み取るために読取光を射出した後、画像記録媒体に残存する画像情報を消去するために読取光をさらに射出するようにパネル状光源を制御するようにしてもよい。このとき、駆動ドライバＩＣは、複数のＥＬブロックの各線状電極および各平板電極に駆動電流の逆バイアス電圧を印加するようにしてもよい。
【発明の効果】
【００１４】
本発明の画像読取装置によれば、駆動ドライバＩＣが、パネル状光源から読取光を射出させるときに、配線により接続された複数のＥＬブロックの線状電極と、発光させるＥＬブロックの平板電極とに駆動電流を印加することにより、１つの駆動ドライバＩＣにより複数のＥＬブロックを制御して実装する駆動ドライバＩＣの数を少なくすることができるため、複数の駆動ドライバＩＣの狭ピッチでの実装を回避して歩留まりの低下および接続信頼性の向上を図るとともに、コストダウンを図ることができる。
【００１５】
なお、異なるＥＬブロックの各線状電極同士が並列接続されているとき、１つの駆動ドライバＩＣによりすべての線状電極に対する駆動電流の印加を制御することができるため、さらなる接続信頼性の向上およびコストの削減を図ることができる。
【００１６】
また、各線状電極と前記駆動ドライバＩＣとがフレキシブルプリント配線板または異方性導電ゴムシートを用いて電気的に接続されていれば、駆動ドライバＩＣとパネル状光源との接続抵抗を小さくすることができるため、パネル状光源における接続抵抗に起因した輝度むらの発生を最小限に押さえることができる。
【００１７】
さらに、駆動ドライバＩＣが前記パネル状光源における読取光射出面の裏面側に実装されている構成であれば、パネル状光源の光射出面上に駆動ドライバＩＣを実装するためのスペースが不要になり、マンモグラフィによる検査を行うときに、人体の胸壁と固体検出器の画像記録可能領域との隙間を小さくすることができる。
【００１８】
さらに、駆動ドライバＩＣが、パネル状光源が画像記録媒体から画像情報を読み取るために読取光を射出した後、画像記録媒体に残存する画像情報を消去するために読取光をさらに射出するようにパネル状光源を制御するものであれば、画像情報を読み取った後に画像記録媒体に残存する画像情報を消去することができるため、繰り返し撮影を行うときであっても残存した画像情報による画質の劣化を防止することができる。
【００１９】
また、駆動ドライバＩＣが、複数のＥＬブロックの各線状電極および各平板電極に駆動電流に対する逆バイアス電圧を印加する機能を有するものであれば、各ＥＬブロックのマイグレーションを防止することができる。
【発明を実施するための最良の形態】
【００２０】
以下、図面を参照して本発明の画像読取装置の実施の形態を詳細に説明する。図１は本発明の画像読取装置の好ましい実施の形態を示す概略構成図である。この画像読取装置１は、画像情報が記録された画像記録媒体１０と、画像記録媒体１０にライン光からなる読取光Ｌを走査しながら照射するパネル状光源２０とを備えている。
【００２１】
まず、図１を参照して画像記録媒体１０について説明する。画像記録媒体１０は、たとえば特開２０００−２８４０５６号公報に開示されているような、いわゆる光読み出し方式の固体検出器であって、読取用電極１１、読取用光導電層１２、電荷輸送層１３、記録用光導電層１４、第２電極１５を積層した構造を有している。
【００２２】
読取用電極１１はたとえばネサ被膜等からなり、矢印Ｙ方向に向かって延びた副数本の第２電極が略平行に形成された構造を有している。この読取用電極１１は、各第２電極は電気的に絶縁した状態になっている。読取用光導電層１２はたとえばアモルファスセレンからなっており、読取光の照射により導電性を呈し電荷対を発生するものである。電荷輸送層１３は読取用光導電層１２に積層されており、負電荷に対しては略絶縁体として作用し、正電荷に対しては略導電体として作用するようになっている。記録用光導電層１４は、たとえばアモルファスセレンからなっており、記録用の電磁波（光または放射線）の照射によって導電性を呈し電荷対を発生するようになっている。さらに、記録用光導電層１４の上には、照射される記録用の電磁波を透過するたとえばＩＴＯ膜（Ｉｎｄｉｕｍ  Ｔｉｎ  Ｏｘｉｄｅ）等の材料からなる、矢印Ｚ方向に向かって延びた複数の線状電極により構成された第２電極１５が積層されている。
【００２３】
電荷輸送層１３と記録用光導電層１４との界面には蓄電部１９が形成されている。つまり、記録用光導電層１４内で発生した電子が、読取用電極１１と第２電極１５の間で形成される電界により、読取用電極１１側へ移動しようとしたときに、電荷輸送層１３によってその移動が制限されるようになっている。よって蓄電部１９には、記録用の電磁波の照射量に応じた電荷が静電潜像として蓄積され、画像情報が記録されることになる。
【００２４】
ここで、画像記録媒体１０に画像情報を記録するとき、信号取得部５０から読取用電極１１と第２電極１５との間に高電圧が印加される。すると、読取用電極１１には負電荷が帯電し、第２電極１５には正電荷が帯電する。次に、第２電極１５側から記録用の電磁波が照射されたとき、記録用の電磁波の照射量に応じて、記録用光導電層１４において正負の電荷対が発生する。そのうち、電荷対の正孔は第２電極１５側に移動し、第２電極１５の負電荷と結像し消滅する。一方、電荷対の電子は、読取用電極１１側に移動するが、電荷輸送層１３によってその移動が制限される。これにより、蓄電部１９に静電潜像として画像情報が記録される。
【００２５】
蓄電部１９に記録された画像情報を読み取る場合、パネル状光源２０から矢印Ｙ方向に延びているライン状の読取光Ｌ１が、読取用電極１１側から矢印Ｘ方向に走査しながら照射される。すると、読取光Ｌ１の照射量に応じた電荷対が読取用光導電層１２において発生する。発生した電荷対の正孔は、電荷輸送層１３を透過して蓄電部１９に蓄積された負電荷と結像し消滅する。一方、電荷対の電子は読取用電極１１側へ移動し正電荷と結像する。そして、読取用電極１１において正孔と負電荷が結像したときに電流が流れる。この電流の変化を信号取得部５０が検出することにより画像情報が読み取られる。
【００２６】
図２は図１の画像読取装置１におけるパネル状光源の好ましい実施の形態を示す断面図であり、図２を参照してパネル状光源２０について説明する。パネル状光源２０は、ストライプ状に配列された複数の線状電極２４ａ〜２４ｄと、複数の線状電極５２４にエレクトロルミネセンス層２３を介して対向するように設けられた平板電極２２とを備えたＥＬブロック２５が複数並べられた構造を有している。
【００２７】
具体的には、パネル状光源２０は、ガラス基板等の光透過性の基板２１上に複数の平板電極２２が設けられており、この平板電極２２上に有機ＥＬもしくは無機ＥＬからなるＥＬ層２３が積層されている。このＥＬ層２３上にストライプ状に配列された複数の線状電極２４ａ〜２４ｄが積層されている。ここで、１つの平板電極２２と複数の線状電極２４ａ〜２４ｄとこれらに挟まれたＥＬ層２３とがＥＬブロック２５を構成しており、パネル状光源２０は複数のＥＬブロック２５が複数並んで配列された構造を有している。ＥＬブロック２５は、平板電極２２と線状電極２４ａ〜２４ｄとに駆動電流が印加されたときに、平板電極２２と線状電極２４ａ〜２４ｄとに挟まれたＥＬ層２３から読取光を射出するようになっている。
【００２８】
次に、図３はパネル状光源の好ましい実施の形態を示す模式図であり、図３を参照して駆動ドライバＩＣ３０について説明する。駆動ドライバＩＣ３０はパネル状光源２０への駆動電流の印加を制御するものであって、複数の線状電極２４ａ〜２４ｄに電気的に接続された陰極ドライバＩＣ３１と、複数の平板電極２２に電気的に接続された陽極ドライバＩＣ３２とを備えている。陰極ドライバＩＣ３１と陽極ドライバＩＣ３２とはそれぞれ駆動電流を出力する駆動電源部４０に電気的に接続されており、この駆動電流を線状電極２４ａ〜２４ｄおよび平板電極２２へ印加するようになっている。
【００２９】
なお、陰極ドライバＩＣ３１は電流吸い込み型の出力段を有するドライバＩＣからなり、陽極ドライバＩＣ３２は電流吐き出し型の出力段を有するドライバＩＣからなるものであってもよい。さらに、陰極ドライバＩＣ３１または陽極ドライバＩＣ３２として、図４に示すようなＰｏｌｒｉｔｙ端子に入力する信号をＨもしくはＬに切り替えることにより、吸い込み型／吐き出し型の設定が可能なドライバＩＣを用いるようにしてもよい。
【００３０】
異なるＥＬブロック２５ａ〜２５ｇの各線状電極２４ａ〜２４ｄ同士は配線２８を介して並列接続されており、配線２８と陰極ドライバＩＣ３１とは電気的に接続されている。具体的には、配線２８はＥＬブロック２５の線状電極２４ａ〜２４ｄの本数分設けられており、ＥＬブロック２５ａ〜２５ｇの線状電極２４ａ〜２４ｄ同士がそれぞれ配線２８によって電気的に接続されている。なお、図３に示すような配線パターンは、各配線２８を積層することにより実現することができる。
【００３１】
一方、陽極ドライバＩＣ３２と各ＥＬブロック２５ａ〜２５ｇの平板電極２２とはそれぞれ電気的に接続されており、陽極ドライバＩＣ３２は駆動電流を印加する各ＥＬブロック２５ａ〜２５ｇの平板電極２２を順次切り替える機能を有している。そして、各駆動ドライバＩＣ３１、３２が、パネル状光源２０から読取光を射出させるときに、配線２８により接続された複数のＥＬブロック２５の線状電極２４ａ〜２４ｄと、発光させるＥＬブロック２５の平板電極２２とを駆動電流を印加するようになっている。
【００３２】
具体的には、パネル状光源２０からライン光を矢印Ｚ１方向に向かって走査させるとき、まず陰極ドライバＩＣ３１により線状電極２４ａに対し駆動電流が印加される。このとき、すべてのＥＬブロック２５ａ〜２５ｇの線状電極２４ａに対し駆動電流が印加される。同時に、陽極ドライバＩＣ３２によりＥＬブロック２５ａの平板電極２２に対し駆動電流が印加される。すると、ＥＬブロック２５ａにおいて、駆動電流が印加された線状電極２４ａと平板電極２２とに挟まれたＥＬ層２３からライン光からなる読取光Ｌが射出される。一方、他のＥＬブロック２５ｂ〜２５ｇにおいて、線状電極２４ａのみに駆動電流が印加されており、対向する平板電極２２に駆動電流が印加されていないため、読取光Ｌが射出されない。
【００３３】
その後、陰極ドライバＩＣ３１により２４ｂ、２４ｃ、２４ｄの順に駆動電流が印加されていく。このとき、ＥＬブロック２５ａの平板電極２２に対してのみ駆動電流が印加される。すると、線状電極２４ｂ、２４ｃ、２４ｄへの印加の順に従い、ＥＬ層２３から読取光Ｌが矢印Ｚ１方向に走査しながら射出されていく。
【００３４】
次に、陽極ドライバＩＣ３２により、ＥＬブロック２５ａの平板電極２２からＥＬブロック２５ｂの平板電極２２へ駆動電流が印加される。一方、陰極ドライバＩＣ３１により線状電極２４ａ、２４ｂ、２４ｃ、２４ｄの順に駆動電流が印加されていく。すると、ＥＬブロック２５ｂにおいてライン光からなる読取光Ｌが矢印Ｚ１方向に走査していく。上述のような動作をＥＬブロック２５ｃ〜２５ｇについても行うことにより、パネル状光源２０からライン状の読取光が矢印Ｚ１方向に向かって走査しながら画像記録媒体１０に照射されていく。
【００３５】
このように、陰極ドライバＩＣ３１および陽極ドライバＩＣ３２が複数のＥＬブロック２５ａ〜２５ｇへの駆動電流の印加を制御することにより、ＥＬブロックの数より少ない数の駆動ドライバＩＣ３１、３２によりＥＬブロック２５ａ〜２５ｇの発光制御を行うことができるため、歩留まりの低下を防止および接続信頼性の向上を図るとともに、コストの削減を図ることができる。すなわち、各ＥＬブロック２５毎にそれぞれ駆動ドライバＩＣを設けた場合、ブロックの数だけの駆動ドライバＩＣを狭ピッチで実装する必要があるため、チップ実装における歩留まりが低下してしまうという問題がある。一方、すべてのＥＬブロック２５ａ〜２５ｇを２つの駆動ドライバＩＣ３１、３２により制御することにより、パネル状光源２０の駆動制御に必要な駆動ドライバＩＣ３２の数を少なくすることができる。
【００３６】
さらに、駆動ドライバＩＣ３０は、パネル状光源２０が画像記録媒体１０から画像情報を読み取るために読取光を射出した後、画像記録媒体１０に残存する画像情報を消去するために読取光をさらに射出するようにパネル状光源２０を制御するようになっている。これにより、画像記録媒体１０を用いて撮影を繰り返したときに、残存する画像情報による画質の劣化を防止することができる。
【００３７】
このとき、陰極制御ドライバＩＣ３１が、ＥＬブロック２５ａ〜２５ｇのすべての線状電極２４ａ〜２４ｄに対し駆動電流を印加し、陽極制御ドライバＩＣ３２が、ＥＬブロック２５ａ〜２５ｇの平板電極２２に対し順次駆動電流を印加するようにしてもよい。すると、パネル状光源２０において、各ＥＬブロック２５ａ〜２５ｇ毎に読取光が画像記録媒体１０に対して射出されることになる。
【００３８】
あるいは、陰極制御ドライバＩＣ３１がＥＬブロックの各線状電極２４ａ〜２４ｄに対し順次駆動電流を印加し、陽極制御ドライバＩＣ３２が、すべてのＥＬブロック２５ａ〜２５ｇの平板電極２２に駆動電流を印加するようにしてもよい。この場合には、線状電極２４ａ、２４ｂ、２４ｃ、２４ｄの順に各ＥＬブロック２５ａ〜２５ｇ内において同時に走査していくことになる。このとき、陰極制御ドライバＩＣ３１は、１本ずつ各線状電極２４ａ〜２４ｄに対し駆動電流を印加するようにしてもよいし、線状電極２４ａと２４ｂとを同時に印加し線状電極２４ｃと２４ｄとを同時に印加するというように、複数本同時に駆動電流を印加するようにしてもよい。
【００３９】
なお、駆動ドライバＩＣ３０が、画像記録媒体１０に残存する画像情報を消去するために読取光をさらに射出するときに、複数のＥＬブロックの各線状電極および各平板電極２２に駆動電流の逆バイアス電流を印加するようにしてもよい。つまり、図１から図３においては、線状電極２４ａ〜２４ｄ側を陰極にし、平板電極２２側を陽極にして読取光を発光させるようにしているが、消去モードの際には線状電極２４ａ〜２４ｄ側を陽極に、平板電極２２側を陽極にして駆動電流と同一の大きさの逆バイアス電流を印加し、消去のための読取光を発光させるようにしてもよい。これにより、パネル状光源２０におけるマイグレーションによる回路の短絡およびオープンを防ぐことができる。このとき、図４の駆動ドライバＩＣ３１、３２において、Ｐｏｉａｎｉｔｙ入力のＯＮ／ＯＦＦ（Ｈｉｇｈ／Ｌｏｗ）をそれぞれ切り替えることにより、各線状電極２４ａ〜２４ｄの陰極もしくは陽極への設定を切り替えることができる。
【００４０】
図５から図９は本発明の別の実施の形態を示す模式図であり、図５から図９を参照してパネル状光源１２０〜４２０について説明する。なお、図５〜図９のパネル状光源１２０〜４２０において、図３のパネル状光源２０と同一の構成を有する部位には同一の符号を付してその説明を省略する。
【００４１】
図５と図６のパネル状光源１２０が図３のパネル状光源２０と異なる点は、配線パターンおよび駆動ドライバＩＣ３０の実装方法である。各線状電極２４ａ〜２４ｄと陰極ドライバＩＣ３１とはそれぞれフレキシブルプリント配線板（以下、「ＦＰＣ」という）４１０、６１０を用いた接続部１２９におけるＡＣＦ熱圧着により電気的に接続されている。ＦＰＣ４１０には配線１２８のような配線パターンが形成されており、配線１２８が複数のＥＬブロック２５ａ〜２５ｇの各線状電極２４ａ〜２４ｄを並列接続している。なお図６においては複数のＥＬブロック２５上に複数のＥＬブロック２５を保護するためのガラス等からなる保護部材１３０が設けられている。
【００４２】
ＦＰＣ４１０を用いることにより、基板２１上に配線２８を薄膜形成する場合に比べて電気抵抗を小さくし省電力化および輝度のばらつきの減少を図ることができる。すなわち、片面ＦＰＣ４１０のＡＣＦ熱圧着を採用した場合、線状電極と駆動ドライバＩＣ３０との間の接続抵抗を数Ωにすることが可能である。具体的には、ＦＰＣ４１０のＣｕパターンが抵抗５ｍΩ／□、厚み９μｍ、幅０．０５ｍｍ、長さ５０ｍｍのとき、接続パターンの抵抗は、５×１０３×５０／０．０５＝５Ωとなる。各ＥＬブロック２５ａ〜２５ｇに流れる電流は最大で５０ｍＡと仮定すると、配線１２８で生じる電圧ドロップは最大で０．２５Ｖとなる。これはライン間の輝度むらが最大で１％発生する値である。この輝度むらは画像のむらとなって現れることはない。また、幅０．０５ｍｍ、長さ４３０ｍｍのアルミニウム電極のライン内で生じる電圧ドロップ＝２０Ｖと比較して１／１００であり非常に小さいことがわかる。
【００４３】
薄膜で同様な回路を形成した場合、低い抵抗値が期待されるアルミニウムを線状電極２４ａ〜２４ｄ同士の接続に採用した場合、シート抵抗は０．１Ω／□とＦＰＣの約２０倍の抵抗値を有する。したがって、線状電極２４ａ〜２４ｄ同士の接続による電圧ドロップは５Ｖとなり、ライン間の輝度むらは最大で２０％になる。これは画像の横筋むらとなって現れ、画像処理により補正が必要となる。厚膜の場合は、シート抵抗を数ｍΩ／□にすることが可能ではあるが、Ｘ線センサの解像度１０ｌｐ／ｍｍや２０ｌｐ／ｍｍに対応した配線技術は未成熟である。
【００４４】
以上から、図５のような片面ＦＰＣのＡＣＦによる接続は最も安価に微細パターンをブロック接続可能とするものである。なお、実験による確認では２０ｌｐ/ｍｍに相当する５０μｍピッチの接続が可能であることを確認した。
【００４５】
さらに、駆動ドライバＩＣ３１、３２は、パネル状光源１２０における読取光射出面の裏面側に設けられた配線基板３３０を用いて背面実装されている。これにより、パネル状光源１２０の側面に駆動ドライバＩＣ３１、３２を実装するためのスペースが不要になり、マンモグラフィによる検査を行うときに、人体の胸壁と固体検出器の画像記録領域との間に生じる隙間をなくすことができる。すなわち、画像記録媒体１０の端部を胸部に接触させて胸の画像情報を取得したときに、図３におけるパネル状光源２０の駆動ドライバＩＣ３１、３２が実装されている領域においては読取光が射出されないため、この領域に対応する画像記録媒体１０の画像情報を読み取ることができない。一方、図６に示すように駆動ドライバＩＣ３１、３２を背面実装したときには、読取光Ｌの発光領域をパネル状光源３２０の端部３２０ａに近づけることができるため、画像記録媒体１０の端部付近に読取光を照射して、画像記録媒体１０の端部付近に記録されている画像情報を読み取ることができる。
【００４６】
なお、図５の陰極ドライバＩＣ３１は読取光Ｌの走査方向（矢印Ｚ１方向）へ連続駆動するようになっており、ＥＬブロック２５ａ、２５ｃ、２５ｅ、２５ｇにおいて読取光Ｌは矢印Ｚ１方向に走査し、ＥＬブロック２５ｂ、２５ｄ、２５ｆにおいて読取光Ｌは矢印Ｚ１方向に走査することになる。このとき、ＥＬブロック１２５ａ、１２５ｃの領域とＥＬブロック１２５ｂ、１２５ｄの領域とでは画像記録媒体１０から得られる画像情報の順序が異なるため、信号取得部５０において画像情報の並べ替えが行われる。
【００４７】
図７のパネル状光源２２０はＥＬブロック１２５ａ〜１２５ｄが陰極ドライバＩＣ３１の出力段よりも多い線状電極２４ａ〜２４ｇを有している。具体的には、各ＥＬブロック２５に対し７本の線状電極２４ａ〜２４ｇが設けられているのに対し、１つの陰極ドライバＩＣ３１の出力数は４つの場合について例示している。駆動ドライバＩＣ１３０は、複数の陰極ドライバＩＣ３１ａ、３１ｂを備えている。陰極ドライバＩＣ３１ａ、３１ｂは、それぞれシフトレジスタが直列になるように接続されており、読取光Ｌの走査方向（矢印Ｚ１方向）へ連続駆動するようになっている。なお、平板電極２２に接続された配線と線状電極２４a〜２４ｇに接続された配線１２８とはそれぞれの電圧ドリップを相殺するために同じ電極抵抗に設定されている。
【００４８】
すると、ＥＬブロック１２５ａ、１２５ｃにおいて読取光Ｌは矢印Ｚ１方向に走査し、ＥＬブロック１２５ｂ、１２５ｄにおいて読取光Ｌは矢印Ｚ２方向に走査することになる。このように、ＥＬブロック１２５ａ、１２５ｃの領域とＥＬブロック１２５ｂ、１２５ｄの領域とでは画像記録媒体１０から得られる画像情報の順序が異なるため、信号取得部５０において画像情報の並べ替えが行われる。
【００４９】
図８のパネル状光源３２０は７本の線状電極２４ａ〜２４ｇを４つの陰極ドライバＩＣ３１ａ〜３１ｄが駆動制御するようになっている。つまり、陰極ドライバＩＣ３１ａ、３１ｂがＥＬブロック２５ａ内の線状電極２４ａ〜２４ｇに対し連続駆動することにより、主走査方向（矢印Ｚ１方向）に読取光Ｌが走査する。次に、ＥＬブロック２５ｂを駆動するとき、陰極ドライバＩＣ３１ｃ、３１ｄがＥＬブロック２５ｂ内の線状電極２４ａ〜２４ｇに対し連続駆動することにより、主走査方向（矢印Ｚ方向）に読取光Ｌが走査する。すると、読取光Ｌが矢印Ｚ１方向に向かって順次走査していくことになる。よって、信号取得部５０における画像情報の並べ替えが不要となる（図７参照）。
【００５０】
図９のパネル状光源４２０は、図７と同様、２つの陰極ドライバＩＣ３１ａ、３１ｂにより駆動制御を行うものであるが、ＥＬブロック２５内の最後尾の線状電極２４ｇに対し駆動電流を印加する配線に対し、陰極ドライバＩＣ３１ａ、３１ｂに対し逆シフトを行わせるための逆シフト入力端子１３１ｃが接続されている。そして、ＥＬブロック１２５ａにおいては陰極ドライバＩＣ３１ａ、３１ｂが線状電極２４ａ〜２４ｇ（矢印Ｚ１方向）に向かって駆動電流を印加する。一方、ＥＬブロック１２５ｂを駆動する際、逆シフト入力端子１３１ｃへの入力により駆動ドライバＩＣ３１ａ、３１ｂがシフト方向を変え、かつ駆動ドライバＩＣ３１ｂの非接触出力を空シフトさせることにより線状電極２４ｇ〜２４ａ（矢印Ｚ２方向）に向かって駆動電流を印加する。これにより、読取光Ｌを矢印Ｚ１方向に順次走査させることができる。
【００５１】
ところで、図６にはＦＰＣ４１０、６１０を用いたＡＣＦ圧着により駆動ドライバＩＣ３０と平板電極２２および線状電極２４ａ〜２４ｄを接続した場合について例示しているが、図１０から図１２に示すような種々の接続方法を用いることができる。なお、図１０から図１２において図６と同一の構成を有する部位には同一の符号を付してその説明を省略する。
【００５２】
図１０のパネル状光源５２０において、各平板電極２２と配線基板３３０とはＦＰＣ６１０に替えて異方性導電ゴムシート３１０ｂを用いて電気的に接続されている。また図１１のパネル状光源６２０において、異方性導電ゴムシート３１０ｂと複数の平板電極２２との接続端部２１ａに曲面加工が施されている。これにより６ｌｐ／ｍｍまでの端面配線が可能になる。さらに図１２のパネル状光源７２０において、配線基板３３０と各平板電極２２および各線状電極２４ａ〜２４ｄが、異方性導電ゴムシート３１０ａ、３１０ｂにより電気的に接続されている。なお、複数のＥＬブロック２５は基板２１と配線基板３３０との間に設けられた封止缶により封止されている。
【００５３】
図１０〜図１２のパネル状光源２２０〜４２０においても、図６と同様、パネル状光源２２０〜４２０の側面に駆動ドライバＩＣ３１、３２を実装するためのスペースが不要になり、マンモグラフィによる検査を行うときに、人体の胸壁と画像記録媒体１０の画像記録領域との間に生じる隙間をなくすることができる。
【００５４】
本発明の実施の形態は、上記各実施の形態に限定されない。たとえば、パネル状光源２０は無機ＥＬを用いた無機ＥＬ発光パネルの場合について例示しているが、上述した無機ＥＬと同様に高電圧を用いるＭＰＥ（マルチフォトンエミッション）有機ＥＬを用いたパネル状光源２０であってもよい。
【００５５】
さらに、上記各実施の形態において、陰極ドライバＩＣ３１と陽極ドライバＩＣ３２と備える場合について例示しているが、１つの駆動ドライバＩＣからなるものであってもよい。このとき、たとえば図４に示すようなＰｏｌｒｉｔｙ端子に入力する信号をＨもしくはＬに切り替えることにより、吸い込み型／吐き出し型の設定を替えて１つのドライバＩＣによる駆動を可能にしてもよい。
【図面の簡単な説明】
【００５６】
【図１】本発明の画像読取装置の好ましい実施の形態を示す構成図
【図２】図１の画像読取装置におけるパネル状光源の一例を示す模式図
【図３】本発明の画像読取装置におけるパネル状光源の一例を示す模式図
【図４】図３の駆動ドライバＩＣの一例を示す回路図
【図５】本発明の画像読取装置におけるパネル状光源の別の実施の形態を示す模式図
【図６】図５のパネル状光源における駆動ドライバＩＣの実装状態の一例を示す模式図
【図７】本発明の画像読取装置におけるパネル状光源の別の実施の形態を示す模式図
【図８】本発明の画像読取装置におけるパネル状光源の別の実施の形態を示す模式図
【図９】本発明の画像読取装置におけるパネル状光源の別の実施の形態を示す模式図
【図１０】パネル状光源の駆動ドライバＩＣの実装状態の別の一例を示す模式図
【図１１】パネル状光源の駆動ドライバＩＣの実装状態の別の一例を示す模式図
【図１２】パネル状光源の駆動ドライバＩＣの実装状態の別の一例を示す模式図
【符号の説明】
【００５７】
１     画像読取装置
１０   画像記録媒体
２０、１２０、２２０、３２０、４２０、５２０、６２０        パネル状光源
２２   平板電極
２３   エレクトロルミネセンス層
２４ａ、２４ｂ、２４ｃ、２４ｄ       線状電極
２５   ＥＬブロック
２８、１２８   配線
３０、２３０   駆動ドライバＩＣ      
３１   陰極ドライバＩＣ  
３２   陽極ドライバＩＣ
３１０ａ、３１０ｂ    異方性導電ゴムシート
３２０ 配線基板
４１０、６１０ プリント配線板
【図１】
2007012853.tif 000003
【図２】
2007012853.tif 000004
【図３】
2007012853.tif 000005
【図４】
2007012853.tif 000006
【図５】
2007012853.tif 000007
【図６】
2007012853.tif 000008
【図７】
2007012853.tif 000009
【図８】
2007012853.tif 000010
【図９】
2007012853.tif 000011
【図１０】
2007012853.tif 000012
【図１１】
2007012853.tif 000013
【図１２】
2007012853.tif 000014